(57)【要約】【課題】電源スイッチがＯＮ状態のままでは、コネクタを引き抜くことができないようにする。【解決手段】一側面部に電源スイッチ７を備えるとともに、電源供給用ラインのコネクタ１０を着脱自在に接続させる装置本体１ａと、この装置本体１ａの一側面部に第１の位置とこの第１の位置とは異なる第２の位置との間で移動自在に設けられ、第１の位置に移動することによりコネクタ１０に対向して該コネクタ１０の抜き取りを規制し、第２の位置に移動することによりコネクタ１０から退避してコネクタ１０の抜取規制を解除する抜取規制機構１５とを具備し、抜取規制機構１５は、第１の位置に移動したとき、電源スイッチ７がＯＮされるのに基づいて移動が規制され、電源スイッチがＯＦＦされるのに基づいて移動規制が解除される。【選択図】      図４
2008091120.tif 000002
【特許請求の範囲】
【請求項１】
一側面部に電源スイッチを備えるとともに、電源供給用ラインのコネクタを着脱自在に接続させる装置本体と、
この装置本体の一側面部に第１の位置とこの第１の位置とは異なる第２の位置との間で移動自在に設けられ、前記第１の位置に移動することにより前記コネクタに対向して該コネクタの抜き取りを規制し、前記第２の位置に移動することにより前記コネクタから退避して前記コネクタの抜き取り規制を解除する抜取規制手段とを具備し、
前記抜取規制手段は、前記第１の位置に移動したとき、前記電源スイッチがＯＮされるのに基づいて移動が規制され、前記電源スイッチがＯＦＦされるのに基づいて移動規制が解除されることを特徴とする端末装置。
【請求項２】
前記抜取規制手段は前記第１及び第２の位置間で移動するスライド板
と、このスライド板にその移動方向に沿って形成される第１の孔、及びこの第１の孔の端部に連続し、かつ、前記第１の孔に対し直交する方向に沿って形成される第２の孔を有し、
前記電源スイッチは、前記第１の孔に沿って相対的に移動され、前記第１の孔から前記第２の孔にスライド操作されることによりＯＮされ、前記第２の孔から前記第１の孔にスライド操作されることによりＯＦＦされ、前記第２の孔に位置することにより前記スライド板の移動を規制し、前記第１の孔に位置することにより前記スライド板の移動規制を解除することを特徴とする請求項１記載の端末装置。
【請求項３】
前記スライド板はそのスライド方向一端部側に前記コネクタに対向してその抜き取りを規制する規制片を有することを特徴とする請求項２記載の端末装置。
【請求項４】
前記スライド板は保持部材によってスライド自在に保持され、前記スライド板、及び保持部材は金属材料によって構成されたことを特徴とする請求項２記載の端末装置。
【発明の詳細な説明】
【技術分野】
【０００１】
本発明は、例えば、高速道路の料金を収受する料金収受システムに適用される端末装置に関する。
【背景技術】
【０００２】
この種の端末装置は、その装置本体の背面側に電源スチッチを備えるとともに、レーン集計機の電源供給ラインのコネクタを着脱自在に接続させるようになっている。
【０００３】
ところで、電源スチッチとコネクタとは通常、関連性がなく独立した状態となっており、電源スチッチをＯＮ状態にしたままでコネクタの抜き差しが可能となっている。
【０００４】
このため、端末装置を持って移動する際、電源スイッチがＯＮ状態のままでコネクタを抜き取ってしまうことがあり、機器を故障させてしまう虞があった。
【０００５】
そこで、従来においては、電源スイッチがＯＮ状態のときはコネクタを抜き取らないように使用者に口頭で説明したり、取扱説明書に記載したり、ラベルを貼り付けたりしていた。
【０００６】
なお、基板挿入時の活線挿抜防止装置については開示されている（例えば、特許文献１参照。）
【特許文献１】特開２０００−１５１１５５号公報
【発明の開示】
【発明が解決しようとする課題】
【０００７】
しかしながら、電源スイッチがＯＮ状態のときにはコネクタを抜き取らないように使用者に口頭で説明したり、取扱説明書に記載したり、ラベルを貼り付けただけでは、電源スイッチがＯＮ状態のままで、うっかりしてコネクタを抜き取ってしまう「人的なミス」が発生し易いという問題があった。
【０００８】
また、特開２０００−１５１１５５号公報に開示されるものは、基板挿入時における活線挿抜防止であり、コネクタの活線挿抜防止対策を開示するものではない。
【０００９】
本発明は上記事情に着目してなされたもので、その目的とするところは、電源スイッチがＯＮ状態のときには、電源供給ラインのコネクタを引き抜くことができないようにした端末装置を提供することにある。
【課題を解決するための手段】
【００１０】
上記課題を解決するため、請求項１記載のものは、一側面部に電源スイッチを備えるとともに、電源供給用ラインのコネクタを着脱自在に接続させる装置本体と、この装置本体の一側面部に第１の位置とこの第１の位置とは異なる第２の位置との間で移動自在に設けられ、前記第１の位置に移動することにより前記コネクタに対向して該コネクタの抜き取りを規制し、前記第２の位置に移動することにより前記コネクタから退避して前記コネクタの抜き取り規制を解除する抜取規制手段とを具備し、前記抜取規制手段は、前記第１の位置に移動したとき、前記電源スイッチがＯＮされるのに基づいて移動が規制され、前記電源スイッチがＯＦＦされるのに基づいて移動規制が解除されることを特徴とする。
【発明の効果】
【００１１】
本発明によれば、電源スイッチがＯＮ状態のときには、電源供給ラインのコネクタを抜き取ることができず、機器故障の防止、及び作業者の安全性の向上を図ることができる。
【発明を実施するための最良の形態】
【００１２】
以下、本発明を図面に示す実施の形態を参照して詳細に説明する。  
図１は本発明の一実施の形態である料金収受システムに用いられる操作表示端末装置１を示す斜視図で、図２は操作表示端末装置１を異なる角度から示す斜視図である。
【００１３】
操作表示端末装置１は装置本体１ａを有し、この装置本体１ａの上面部には操作キースイッチ２を有してなる操作部３、及び表示部４が設けられ、内部には図３に示すように制御部５が設けられている。操作部３は、料金収受員が処理区分などの入力操作を行なうもので、表示部４は、料金収受員への案内表示やデータ処理結果を表示するものである。制御部５は、操作部３、及び表示部４を制御するものである。
【００１４】
また、装置本体１ａの背面部には図４にも示すように電源スイッチ７が設けられているとともに、電源供給ラインのコネクタ１０が着脱自在に接続されている。この操作表示端末装置１は電源装置を装備せず、電源は後述するレーン集計機１３から供給されるようになっている。
【００１５】
操作表示端末装置１の操作部３及び表示部４、さらに、制御部５は図３に示すようにインターフェース部８、コネクタ１０及び電源供給ライン１１を介してレーン集計機１３に接続され、料金収受システムを構成している。レーン集計機１３は、主制御部、記憶装置、電源制御部、通信制御部等から構成され、操作表示端末装置１を制御して高速道路の当該車線における料金収受処理を行なうようになっている。また、レーン集計機１３は、接続される外部機器と連動してＥＴＣ処理を行なうようになっている。
【００１６】
図４乃至図６は、筐体１ａの背面部に着脱自在に接続されるコネクタ１０の抜取規制手段としての抜取規制機構１５を示すものである。
【００１７】
この抜取規制機構１５は金属製のスライド板１６と、このスライド板１６をスライド自在に保持する保持部１７とを有して構成されている。
【００１８】
保持部１７は図８にも示すように筐体１ａの背面部に取り付けられる断面コ字状をなすポリアセタール樹脂製の基板１８と、この基板１８に対向してネジ止め固定される金属製の保持プレート１９とを有して構成される。スライド板１６は基板１８と保持プレート１９との間に構成されるスペース内にスライド自在に挿入されている。基板１８と保持プレート１９とには電源スイッチ７を挿通させる開口部１８ａ       ，１９ａが穿設されている。
【００１９】
スライド板１６は図１０にも概略的に示すようにその一端部に折曲部１６ａを有し、この折曲部１６ａに指が掛けられて左右方向にスライド操作されるようになっている。
【００２０】
また、スライド板１６の板面には図１２にも示すように水平方向、即ち、スライド方向に沿って第１の孔２１ａが形成されているとともに、第１の孔２１ａの一端部側には該第１の孔２１ａに連通し、かつ、第１の孔２１ａに対し直交する方向に沿って第２の孔２１ｂが形成されている。電源スイッチ７は上下方向に操作され、上方に操作されることによりＯＮ状態となり、下方に操作されることによりＯＦＦ状態になる。電源スイッチ７はＯＮ状態のときは、第２の孔２１ｂに位置し、ＯＦＦ状態のときは、第１の孔２１ａに位置するようになっている。電源スイッチ７がＯＮ状態のときは、スライド板１６の移動が規制され、ＯＦＦ状態のときは、スライド板１６の移動規制が解除されるようになっている。
【００２１】
また、スライド板１６の他端部側には、電源スイッチ７のＯＮ時にコネクタ１０の抜き取りを規制するための規制部２３が一体的に形成されている。この規制部２３は、一端部側の折曲部１６ａと平行に折曲される折曲部２３ａと、この折曲部２３ａの上下部に直角に折曲される上下の折曲片２３ｂ，２３ｃと、これら上下の折曲片２３ｂ，２３ｃの前部側に垂直方向に沿って折曲される規制片２３ｄ，２３ｅとを有している。
【００２２】
スライド板１６は、その規制片２３ｄ，２３ｅを図４、図５、図９、図１０〜図１２に示すように、コネクタ１０の前面部に対向させてコネクタ１０の抜き取りを規制する第１の位置と、図６、図７、図１３、図１４に示すようにコネクタ１０の前面側から退避してコネクタ１０の抜取規制を解除する第２の位置との間でスライド移動されるようになっている。
【００２３】
次に、上記したように構成されるコネクタの抜取規制機構１５の動作について説明する。
【００２４】
まず、コネクタ１０の抜取りを可能とする場合には、図４に示すようにスライド板１６の規制片２３ｄ，２３ｅがコネクタ１０の前面部に対向する第１の位置にスライド板１６が位置する状態から電源スイッチ７を図６に示すように下方にスライド操作してＯＦＦ状態にする。これにより、スライド板１６の移動が可能な状態となり、この状態からスライド板１６の折曲部１６ａに指を掛けてスライド板１６を第２の位置に移動させる。この移動により、スライド板１６の規制片２３ｄ，２３ｅがコネクタ１０の前面部から退避されてコネクタ１０の抜き取りが可能な状態になる。この状態からコネクタ１０を図７に矢印で示す方向に引っ張って抜き取る。なお、図１５に示すように電源スイッチ７がＯＦＦされると（ステップＳＴ１）、インターフェース８を介してレーン集計機に流れる電流が流れなくなり（ステップＳＴ２）、コネクタ１０の抜き取りが可能となる。
【００２５】
つぎに、コネクタ１０の抜き取りを規制する場合には、図６に示すように第２の位置にあるスライド板１６を図４に示すように第１の位置に移動させる。これにより、スライド板１６の規制片２３ｄ，２３ｅがコネクタ１０の前面部に対向される。このとき、スライド板１６の第１の孔２１ａの端部に電源スイッチ７が位置し、この電源スイッチ７を第２の孔２１ｂに沿って上方へスライド操作してＯＮさせる。この電源スイッチ７のＯＮにより、スライド板１６の移動が規制される。従って、電源スイッチ７がＯＮした状態では、コネクタ１０を抜き取ろうとしてもその前面部がスライド板１６の規制片２３ｄ、２３ｅに当接し抜き取ることが規制される。
【００２６】
上記したように、この実施の形態によれば、電源スイッチ７がＯＮ状態では、スライド板１６の規制片２３ｄ、２３ｅがコネクタ１０に対向した状態でスライド板１６の移動が規制されるため、電源スイッチ７がＯＮ状態でうっかりコネクタ１０を抜き取ってしまうことがなく、機器の故障を確実に防止できるとともに、作業者の安全性を向上させることができる利点がある。
【００２７】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００２８】
【図１】本発明の一実施の形態である操作表示端末装置を示す斜視図。
【図２】図１の操作表示端末装置を異なる角度から示す斜視図。
【図３】図１の操作表示端末装置を備える料金収受システムを示す構成図。
【図４】図１の操作表示端末装置の背面部に設けられるコネクタの抜取規制機構を示す正面図。
【図５】図４の抜取規制機構を示す平面図。
【図６】図４の抜取規制機構によるコネクタの抜取規制が解除された状態を示す図。
【図７】図６の抜取規制機構を示す平面図。
【図８】図４の抜取規制機構を構成するスライド板、及びその保持部を示す断面図。
【図９】図８のスライド板に形成される規制片がコネクタの前面部に対向された状態を示す図。
【図１０】図４の抜取規制機構を構成するスライド板、及びその保持部を概略的に示す図。
【図１１】図１０のスライド板の規制片によってコネクタの抜き取りが規制される状態を示す図。
【図１２】図１１のスライド板を示す正面図。
【図１３】図１１のスライド板がスライドされてその規制片がコネクタから退避された状態を概略的に示す斜視図。
【図１４】図１３のスライド板を示す正面図。
【図１５】図３の電源スイッチをオフしたときの動作を示すフローチャート図。
【符号の説明】
【００２９】
１ａ…装置本体、７…電源スイッチ、１０…コネクタ、１５…抜取規制機構（抜取規制手段）、１６…スライド板、１９…保持プレート（保持部材）、２１ａ…第１の孔、２１b…第２の孔。
【図１】
2008091120.tif 000003
【図２】
2008091120.tif 000004
【図３】
2008091120.tif 000005
【図４】
2008091120.tif 000006
【図５】
2008091120.tif 000007
【図６】
2008091120.tif 000008
【図７】
2008091120.tif 000009
【図８】
2008091120.tif 000010
【図９】
2008091120.tif 000011
【図１０】
2008091120.tif 000012
【図１１】
2008091120.tif 000013
【図１２】
2008091120.tif 000014
【図１３】
2008091120.tif 000015
【図１４】
2008091120.tif 000016
【図１５】
2008091120.tif 000017